(57)【要約】      （修正有）【課題】ブース内で通話を行った場合に通話内容が外部の人間には聞き取りにくく、携帯端末用ブースの周囲の人が感じるマスキング音による不快感を緩和することができ、かつ携帯端末用ブースの内部で通話を行っているユーザーにとっても、マスキング音が耳障りではないマスキング機能を備えた携帯端末用ブースの提供。【解決手段】平面視で空間を区画することによって、内部に携帯端末の利用空間を形成する吸音パネルと、利用空間の外側に向かって設けられたスピーカー２００ｓと、スピーカー２００ｓから、マスキング音を発生させるマスキング音発生装置２００とを備えた携帯端末用ブース１００であり、マスキング音は、耳障りな高音域が減衰しており、携帯端末用ブースの周囲の人が感じるマスキング音による不快感を緩和することができる。【選択図】図１
2020190151.tif 000002
【特許請求の範囲】
【請求項１】
平面視で空間を区画することによって、内部に携帯端末の利用空間を形成する吸音パネルと、
前記利用空間の外側に向かって設けられたスピーカーと、
前記スピーカーから、マスキング音を発生させるマスキング音発生装置とからなり、
前記マスキング音は、高音域が減衰していることを特徴とするマスキング機能を備えた携帯端末用ブース。
【請求項２】
前記マスキング音は、自然音を含むソース音源の高音域を減衰させることで生成されていることを特徴とする請求項１に記載のマスキング機能を備えた携帯端末用ブース。
【発明の詳細な説明】
【技術分野】
【０００１】
本発明は、公共スペースなどで、携帯端末を利用する為の場所を提供するマスキング機能を備えた携帯端末用ブースに関する。
【背景技術】
【０００２】
現在、日本でのスマートフォンや携帯電話の普及率は１００％を超え、ほぼ全ての人が常時通信手段を保持しているという状況となった。こういった携帯端末は、移動中などすき間時間に情報を収集・発信したり、通常の会話を行ったりでき利便性が高い。事実、往来や建物の中、公園などの公共スペースにいる人々のかなりの割合が、何らかの目的で携帯端末を操作している。
【０００３】
しかしながら、外出中に携帯端末で会話を行う際には、これまでの電話ボックスなどに置かれた公衆電話とは違って、他の人々が普通に歩行している場所で行うという場合が多い。従って、雑踏などでは、周りの雑音で相手の声が良く聞こえないということも少なくない。
【０００４】
駅や建物の中であっても、周囲の反響音が響いて、ゆっくりと会話を行うということはできない。普通は壁の近くなどへ寄って、いくらかでも静かな場所で話そうとする。しかし、実際には壁で反射する雑音が加わって、壁の近くは決して静かな場所ではない。通話相手にとっても、この反射雑音によって音声が聞き取りづらくなってしまうということもある。
【０００５】
このような状況に鑑みて、本件出願人は、特許文献１において、携帯端末の利用者の利便性を高めることができる携帯端末用ブースの提案を行った。この携帯端末用ブースによれば、例えば、ホテルのロビーなどに設置することで、マナーよく快適に携帯端末を使うことができ、それと共に利用者のマナーを向上させ、ホテル自体の雰囲気を良くする、といったことが期待できる。
【先行技術文献】
【特許文献】
【０００６】
【特許文献１】特開２０１４−４３７６５号公報
【特許文献２】特開２００６−２６７１７４号公報
【発明の概要】
【発明が解決しようとする課題】
【０００７】
携帯電話で会話を行う場合、話の内容が周囲の人に聞こえる可能性があり、プライベートな内容は話しにくいということがある。携帯端末用ブースを利用すれば、周囲への会話の内容の漏洩は若干抑えられるとはいえ、比較的静かな環境においては、周りに聞こえているのではないかという危惧が残る。特に、建物内やオフィスにおいては、その心配がより大きくなる。
【０００８】
一方で、聴覚のマスキング現象を利用し、広帯域雑音（マスキング音）を発生させて、不用な音情報を聴覚的に聞こえ難くするノイズマスキングシステムが知られている（例えば、特許文献２参照）。このようなノイズマスキングシステムでは、音量を上げるほどノイズマスキング効果は高まる。しかし、マスキング音は騒音であり、それを聞き続ける側の利用者にとっては、音量は小さいほど望ましい。
【０００９】
そこで、本発明の目的は、ノイズマスキングシステムを備えた携帯端末用ブースを提供することであり、特にマスキング音による不快感が低減されたノイズマスキングシステムを備えた携帯端末用ブースを提供することである。
【課題を解決するための手段】
【００１０】
上記課題を解決するために、本発明の携帯端末用ブースは、平面視で空間を区画することによって、内部に携帯端末の利用空間を形成する吸音パネルと、前記利用空間の外側に向かって設けられたスピーカーと、前記スピーカーから、マスキング音を発生させるマスキング音発生装置とからなり、前記マスキング音は、高音域が減衰していることを特徴とする。
【００１１】
好ましい実施例では、前記マスキング音は、自然音を含むソース音源の高音域を減衰させることで生成されている
【発明の効果】
【００１２】
本発明に係わる携帯端末用ブースはマスキング音発生装置を備えており、ブース内で通話を行った場合、その通話内容は外部の人間には聞き取りにくくなっている。従って、通話のプライバシーを保護することができる。また、マスキング音発生装置が発するマスキング音は、耳障りな高音域が減衰しているので、携帯端末用ブースの周囲の人が感じるマスキング音による不快感を緩和することができる。更に、携帯端末用ブースの内部で通話を行っているユーザーにとっても、マスキング音が比較的に耳障りではなくなる。
【図面の簡単な説明】
【００１３】
【図１】図１は、本発明の実施例による携帯端末用ブースを示す斜視図である。
【図２】図２は、図１の携帯端末用ブースの板状吸音パネルの構造を示す断面図である。
【図３】図３は、図１の携帯端末用ブースの吸音材を構成するビニールシートの構造を示す図である。
【図４】図４は、図１の携帯端末用ブースに設けられているマスキング音発生装置のブロック図である。
【図５】図５は、本発明の実施例による携帯端末用ブースであって、透明なアクリル製の扉を備えた例を示す図である。
【図６】図６は、本発明の実施例による携帯端末用ブースであって、別の透明なアクリル製の扉を備えた例を示す図である。
【図７】図７は、本発明の実施例による携帯端末用ブースであって、更に別の透明なアクリル製の扉を備えた例を示す図である。
【発明を実施するための形態】
【００１４】
以下、添付図面を参照しながら本発明の実施形態によるマスキング機能を備えた携帯端末用ブースを説明する。この携帯端末用ブースは、ホテルやオフィスビルなどの建物の内部などに設置しておく。携帯電話を利用したい人は、このブースに入って電話をかけることで周りの反響音などを避け、また話の内容を近くにいる人には聞き取りにくい状態で会話を行うことができる。さらに、周囲の人の視線に気兼ねなく携帯電話を利用できる。
【００１５】
図１に、本発明の実施例の携帯端末用ブースを示す。この携帯端末用ブース１００は、前面に開いた円筒形状の吸音ユニット１１０と、この吸音ユニット１１０を支える支持フレーム１２０とからなっている。それぞれ分解状態で搬入し、現地で組み立てることができる。
【００１６】
吸音ユニット１１０は、幅２０ｃｍ、長さ１２０ｃｍ、厚み３ｃｍの板状の板状吸音パネル１１１を、平面視でアーチ状に連結して構成されている。また、支持フレーム１２０は、吸音ユニット１１０に垂直に接続した４本のパイプ（支柱）１２１と、パイプ１２１の下面に貼り付けられているスチール製のアジャスタフット１２３からなる。
【００１７】
アジャスタフット１２３は、円盤状のプレートであるが、吸音ユニット１１０の前面の入り口に沿って切断されている。この切断部分１２３ｃは、車椅子で内部へ入る際に、車輪とアジャスタフット１２３との干渉を避けるために設けられている。
【００１８】
パイプ１２１の長さを２１０ｃｍとすると、アーチ状の吸音ユニット１１０の下端は床から９０ｃｍの高さとなる。また、吸音ユニット１１０は耳の位置よりも少し上まであればよい。概ね、この携帯端末用ブース１００を設置する国の平均身長よりも、板状吸音パネル１０１の上端が１０〜１５ｃｍ程度上にあるようにする。また、吸音ユニット１１０の直径は１ｍ〜１．５ｍ、例えば１．２ｍ程度とし、基本的に一人での利用を想定しているが、二人での利用も可能な大きさとする。
【００１９】
板状吸音パネル１１１は、アルミパネルに吸音材１１５を装着したものである。また、吸音材１１５を装着したアルミパネル１１３の上端および下端には、パネルキャップ１４１が嵌合されている。また、図示の通り、板状吸音パネル１１１を組み合わせた状態で、前方が開口した円筒形となる。この開口部の上方には、左右の板状吸音パネル１１１を連結する看板１４０が設けられている。この場合で、開口部は、円筒形の中心からの見込み角で９０〜１２０度、つまり円周の１／４から１／３程度の大きさとなっている。
【００２０】
吸音材１１５は、図２に示したような吸音構造を持っている。これは、ニードルフェルト、ベストレイ、ソフトレイ、グラスウール、サーモウールといった材質の吸音シート１１５ａを２枚積層させ、間に音波拡散フィルムとして機能する薄いビニールシート（樹脂シート）１１５ｂを挟んで接着させたものである。吸音シート１１５ａの他の材質としては、フェノール樹脂、ポリウレタンなどがある。一枚の吸音シート１１５ａの厚みは１〜２ｃｍであり、ビニールシート１１５ｂの厚みは０．１ｍｍ〜０．５ｍｍ程度である。更に、保護および支持用の軟質塩化ビニル樹脂板１０５ｃを裏面に設ける。また、内側の面は布１１５ｄが貼ってある。全体として、２〜４ｃｍ程度となる。
【００２１】
ビニールシート１１５ｂは、図３の平面図に示したように、多数の円形開口部１１５ｈが設けられている。例えば、開口部１１５ｈの直径は２ｃｍで、互いの間隔は７ｃｍである。このような開口部１１５ｈを設けることで、入力する音波を横方向に散乱させ、吸音シート１１５ａによる吸音効果を高めることが出来る。また、開口部１１５ｈは、入力する音波の一部を通過させることにより、反射と透過のバランスを取るという調音機能も持っている。
【００２２】
ビニールシート１１５ｂと吸音シート１１５ａとは粘性接着剤によって接着されている。また、円形開口部１１５ｈ越しに、吸音シート１１５ａ同士が粘性接着剤によって接着されている。この粘性接着剤は、ビニールシート１１５ｂと吸音シート１１５ａとの間に、一定の粘性を保って介在する。また、この粘性接着剤は、開口部１１５ｈを介して、吸音シート１１５ａ間にも、一定の粘性を保って介在する。すなわち、使用時においても完全に硬化せず、ネバネバした状態を保っているという点が重要である。
【００２３】
このような吸音構造の特徴としては、低周波から高周波まで広い帯域において優れた吸音性能を持っていることにある。特に、今回の目的では、この吸音構造によって、通話の際に騒音と感じられる帯域５００Hz以上の音圧を大幅に低減させるという点が重要である。一般的には、低周波において吸音性能を維持することは困難とされている。ただし、本件吸音構造においても、高周波領域に比較すれば、どうしても低周波領域での吸音性能は低くなっている。
【００２４】
本件発明においては、携帯端末用ブースには、マスキング音発生装置が設けられている。この実施例では、看板１４０にマスキング音発生装置２００が実装されている。このマスキング音発生装置２００は、音情報を聴覚的に聞こえ難くする為のマスキング音をスピーカー２００ｓから発生させる装置である。また、このマスキング音発生装置２００には、ブース内の音声を集音するマイク（図不示）が設けられている。更に、このマスキング音発生装置２００には、ユーザーが入ったことを検出する人感センサー（図不示）も設けられている。
【００２５】
図４は、本実施例によるマスキング音発生装置２００のブロック図である。マスキング音発生装置２００は、記憶装置２１０と、マイク２２０と、人感センサー２３０と、データ処理制御回路２４０および通信インターフェース２５０を備えている。
【００２６】
記憶装置２１０は、例えばマイクロＳＤからなり、マスキング音を発生させるための音源や、ＢＧＭを格納している。マイク２２０は、この携帯端末用ブースの内側に向かって設けられおり、例えば、この携帯端末用ブース内で通話をしているユーザーの音声を集音する。人感センサー２３０は、例えば、この携帯端末用ブースの天井部分の中央に設けられており、赤外線を検出することで、ユーザーが入ったことを検知する。データ処理制御回路２４０は、記憶装置２１０、マイク２２０および人感センサー２３０からの信号に基づいて、ＤＡＣ２０１およびアンプ２０２経由でスピーカー２００ｓからマスキング音を発生させる。
【００２７】
通信インターフェース２５０は、インターネットからデータの送受信を行うことのできるモジュールであり、データ処理制御回路２４０によって制御される。通信方式としては、例えば、電話回線やＩＳＤＮ回線、ＡＤＳＬ回線、光回線などの公衆回線、専用回線、ＷＣＤＭＡ（登録商標）及びＣＤＭＡ２０００などの第３世代（３Ｇ）の通信方式、ＬＴＥなどの第４世代（４Ｇ）の通信方式、及び第５世代（５Ｇ）以降の通信方式等の他、Ｗｉｆｉ（登録商標）、Ｂｌｕｅｔｏｏｔｈ（登録商標）などの無線通信ネットワークが含まれる。
【００２８】
マイク２２０からの信号はアンプ２２１で増幅され、バンドパスフィルタ２２２を介して、検出回路２２３で検出結果を、データ処理制御回路２４０へ出力する。バンドパスフィルタ２２２は、高周波領域のみを通過させるもので、例えば、女性の音声のように入力の高周波成分が多い場合に大きな出力を検出回路２２３へ出力する。検出回路２２３は、バンドパスフィルタ２２２から一定レベル以上の入力があった場合に、データ処理制御回路２４０に検出信号を出力する。また、アンプ２２１の出力は、検出回路２２４へも入力される。男性の音声のように入力の高周波成分が少ないと、検出回路２２３の検出信号がなくなる。それでも、検出回路２２４の検出信号が存在するので、検出回路２２４は有音検出用の回路として機能する。
【００２９】
人感センサー２３０は、この携帯端末用ブース内部の赤外線を検出し、その検出信号を出力する。この検出信号は、アンプ２３１で増幅され、検出回路２３３へ出力する。検出回路２３３は、一定レベル以上の入力があった場合に、データ処理制御回路２４０に検出信号を出力する。
【００３０】
記憶装置２１０に格納されている音源としては、自然音、例えば人の声を多く含んだ雑踏のざわめきなどにブラウニアンノイズなどを加えたソース音源を用いて生成されたものである。特に、本件発明においては、このような自然音を含んだソース音源の高音域を減衰させた音源が、記憶装置２１０に格納されている。
【００３１】
このように自然音を含んだソース音源の高音域を減衰させた音源を用いて、マスキング音を発生させることには、次のような利点が存在する。すなわち、マスキング音というのは、通話などをマスクすることで内容をわからなくするものであるが、他者には単なるうるさい雑音に過ぎない。中でもこの雑音の高周波成分は、特に耳障りとなるものである。本発明では、この高周波成分を減衰させているので、マスキング音による周囲の音環境の悪化を緩和することができる。
【００３２】
通常、マスキング音の高音域を減衰させた場合、音声といったマスキング対象となる音のマスキング効果は大幅に下がってしまう。なぜなら、音声の高周波成分は、会話内容の識別にとって重要な要素となっているからである。
【００３３】
しかしながら、携帯端末用ブース内部の音声はその高周波成分が吸音されており、外部へ漏れる音声の高音域が減衰されている。したがって、音声の高周波成分をマスクするマスキング音の高周波成分は、その分減衰されていてもマスキング効果を損なうことがない。
【００３４】
なお、上記例では、ソース音源の高音域を減衰させたマスキング音を、記憶装置２１０に格納しているが、本発明の実施形態はこれに限らない。例えば、自然音を含んだソース音源を記憶装置２１０に格納しておき、データ処理制御回路２４０でＬＰＦなど高音域を減衰させても良い。
【００３５】
また、記憶装置２１０に格納されているマスキング音またはソース音源は、通信インターフェース２５０を介してインターネットから別の音源データをダウンロードすることにより、適宜、追加更新できる。従って、より効果的なマスキング音またはソース音源が作成されれば、速やかにそれを利用することができる。マスキング音をインターネットからダウンロードする場合は、ダウンロード元でマスキング音を生成する際に、ソース音の高音域を減衰させることになる。
【００３６】
以上のような構成を持った携帯端末用ブース用のマスキング音発生装置２００は、次のように動作する。まず、ユーザーが携帯端末用ブースへ入ると、人感センサー２３０から検出信号が発生し、ＢＧＭが再生される。この際の再生音量は、所定のレベルまで徐々に増加させる（フェードイン）。
【００３７】
次に、ユーザーが通話を行うと、検出回路２２３および検出回路２２４の検出信号から、音声の高周波成分が多いか否かが判断される。男性の音声のように、音声の高周波成分が多くない場合には、スピーカー２００ｓからマスキング音をそのまま発生させる。また、女性の音声のように、音声の高周波成分が多い場合には、マスキング音の高周波成分を若干増幅させてからスピーカー２００ｓから発生させる。すなわち、女性の音声では、マスキング音の高音域の減衰量を小さくする。
【００３８】
ユーザーが携帯端末用ブースから退出し、人感センサー２３０からの検出信号が途絶えた場合、マスキング音を止め、ＢＧＭの再生音量は徐々に下げながら最終的に０とする（フェードアウト）。
【００３９】
なお、上記例では、携帯端末用ブースは、前方が開口した円筒形となっている。図５に示したように、この開口部に透明アクリル製の扉１５０を設けることもできる。このアクリル製の扉１５０は、携帯端末用ブースの内側に設けられているレールに沿って、円周方向にスライドさせることで開閉を行うことができる。
【００４０】
この場合、扉１５０の存在によって内部の閉塞感を感じやすくなるが、扉を透明にすることでそのような閉塞感は緩和される。この扉によって、外部へ漏れる音声はより小さくなる。特に、外部へ漏れる音声の高周波成分がより減衰される。したがって、その分、マスキング音の高周波成分をより小さくすることができる。
【００４１】
また、図５のアクリル製扉１５０は、板状吸音パネル１１１と同様に、下端は床から９０ｃｍの高さとなっている。従って、板状吸音パネル１１１と共に、ユーザーの腰から上を囲むような形態となっている。この場合、ユーザーの腰から下方、すなわち床から９０ｃｍの高さまでは、開放されている。しかし、下方も囲むような形態として、全体として密閉性を高めた構造としても良い。すなわち、図５のアクリル製扉１５０を下方向に延長させ、図６のアクリル製扉１５１に示したように、下方も含めて前面を完全に覆うようにしても良い。この場合、板状吸音パネル１１１の下端から床までを覆う、透明なアクリル製パネル１５２を設ける。これにより、携帯端末用ブースの内部空間は完全に密閉され、外部へ漏れる音声はより小さくなり、外部へ漏れる音声の高周波成分が更に減衰される。したがって、その分、マスキング音の高周波成分をより小さくすることができる。
【００４２】
なお、アクリル製扉１５０は、携帯端末用ブースの内側に設けられているレールに沿って、円周方向にスライドさせることで開閉を行うようになっている。これは扉がじゃまにならずバリアフリーに向いている。しかし、図７に示したように、蝶番Ｐを支点として回動することで開閉を行うような、一般的な開き戸である透明アクリル製扉１５３とすることもできる。
【産業上の利用可能性】
【００４３】
本発明に係わる携帯端末用ブースはマスキング音発生装置を備えており、ブース内で通話を行った場合、その通話内容は外部の人間には聞き取りにくくなっている。従って、通話のプライバシーを保護することができる。また、マスキング音発生装置が発するマスキング音は、耳障りな高音域が減衰しているので、携帯端末用ブースの周囲の人が感じるマスキング音による不快感を緩和することができる。更に、携帯端末用ブースの内部で通話を行っているユーザーにとっても、マスキング音が比較的に耳障りではなくなる。従って、携帯端末用ブースの利用を促進することができる。
【符号の説明】
【００４４】
１００      携帯端末用ブース
１０１      板状吸音パネル
１０５ｃ    軟質塩化ビニル樹脂板
１１０      吸音ユニット
１１１      板状吸音パネル
１１３      アルミパネル
１１５      吸音材
１１５ａ    吸音シート
１１５ｂ    ビニールシート
１１５ｄ    布
１１５ｈ    円形開口部
１１５ｈ    開口部
１２０      支持フレーム
１２１      パイプ
１２３      アジャスタフット
１２３ｃ    切断部分
１４０      看板
１４１      パネルキャップ
１５０      扉
２００      マスキング音発生装置
２００ｓ    スピーカー
２０２      アンプ
２１０      記憶装置
２２０      マイク
２２１      アンプ
２２２      ハイパスフィルター
２２３      検出回路
２２４      検出回路
２３０      人感センサー
２３１      アンプ
２３３      検出回路
２４０      データ処理制御回路
２５０      通信インターフェース
【図１】
2020190151.tif 000003
【図２】
2020190151.tif 000004
【図３】
2020190151.tif 000005
【図４】
2020190151.tif 000006
【図５】
2020190151.tif 000007
【図６】
2020190151.tif 000008
【図７】
2020190151.tif 000009